(57)【要約】【課題】バンド本体の締め付けの際における座屈の発生を防止すると共に、バンド本体を短くする。【解決手段】外側重なり部３２及び内側重なり部３３が相互に重なり合ったリング状となって被締付部材に巻回されるバンド本体３１と、外側重なり部３２に形成された係合孔３４，３５と、内側重なり部３３に形成され、係合孔３４，３５に係合することによりバンド本体３１の締付状態を保持する係合爪３６，３７と、外側重なり部３２の先端側に形成された第１の工具爪４１と、第１の工具爪４１よりも先端における外側重なり部３２に形成された平坦状の端末部３９と、端末部３９が挿入可能な開口部３８ａ及び開口部３８ａに挿入された端末部３９を外側から押さえる押え部３８ｂを有して内側重なり部３３に形成され、第１の工具爪４１と共にバンド本体３１を締め付けるための第２の工具爪３８と、外側重なり部３２における第１の工具爪４１と係合孔３４との間に形成されたスリット４２とを備える。【選択図】          図２
2005003086.tif 000002
【特許請求の範囲】
【請求項１】
外側重なり部及び内側重なり部が相互に重なり合ったリング状となって被締付部材に巻回されるバンド本体と、
外側重なり部に形成された係合孔と、
内側重なり部に形成され、前記係合孔に係合することによりバンド本体の締付状態を保持する係合爪と、
外側重なり部の先端側に形成された第１の工具爪と、
第１の工具爪よりも先端における外側重なり部に形成された平坦状の端末部と、
端末部が挿入可能な開口部及び開口部に挿入された端末部を外側から押さえる押え部を有して内側重なり部に形成され、第１の工具爪と共にバンド本体を締め付けるための第２の工具爪と、
外側重なり部における第１の工具爪と係合孔との間に形成されたスリットとを備えていることを特徴とするブーツバンド。
【請求項２】
外側重なり部及び内側重なり部が相互に重なり合ったリング状となって被締付部材に巻回されるバンド本体と、
外側重なり部に形成された係合孔と、
内側重なり部に形成され、前記係合孔に係合することによりバンド本体の締付状態を保持する係合爪と、
外側重なり部の先端側に形成された第１の工具爪と、
第１の工具爪よりも先端における外側重なり部に形成された平坦状の端末部と、
端末部が挿入可能な開口部及び開口部に挿入された端末部を外側から押さえる押え部を有して内側重なり部に形成され、第１の工具爪と共にバンド本体を締め付けるための第２の工具爪と、
外側重なり部における第１の工具爪と係合孔との間に形成されたスリットと、
内側重なり部に形成され、前記スリットに入り込んで係合することによりバンド本体をリング状の仮止め状態とする仮止め爪とを備えていることを特徴とするブーツバンド。
【請求項３】
外側重なり部及び内側重なり部が相互に重なり合ったリング状となって被締付部材に巻回されるバンド本体と、
外側重なり部に形成された係合孔と、
内側重なり部に形成され、前記係合孔に係合することによりバンド本体の締付状態を保持する係合爪と、
外側重なり部の先端側に形成された第１の工具爪と、
第１の工具爪よりも先端における外側重なり部に形成された平坦状の端末部と、
端末部が挿入可能な開口部及び開口部に挿入された端末部を外側から押さえる押え部を有して内側重なり部に形成され、第１の工具爪と共にバンド本体を締め付けるための第２の工具爪と、
第２の工具爪と係合爪との間に設けられた補強部とを備えていることを特徴とするブーツバンド。
【請求項４】
前記補強部は、第２の工具爪と係合爪との間に円周方向に沿って形成されたリブであることを特徴とする請求項３記載のブーツバンド。
【請求項５】
請求項１〜３のいずれかに記載のブーツバンドであって、前記係合孔における締め付け方向後側の端面に、係合爪の背面に相応した形状を有して径方向外側に膨らむ係合穴側膨らみ部が形成されていることを特徴とするブーツバンド。
【請求項６】
請求項１または２記載のブーツバンドであって、前記スリットにおける締め付け方向後側の端面に、係合爪の背面に相応した形状を有して径方向外側に膨らむスリット側膨らみ部が形成されていることを特徴とするブーツバンド。
【請求項７】
請求項１〜３のいずれかに記載のブーツバンドであって、前記外側重なり部の先端部分がバンド本体のリング径よりも大きな曲率を有して径方向内側に湾曲していることを特徴とするブーツバンド。
【発明の詳細な説明】
【０００１】
【発明の属する技術分野】
本発明は、ゴム、樹脂等からなるチューブ状やブーツ状の被締付部材を締め付けて相手部材に固定するブーツバンドに関する。
【０００２】
【従来の技術】
ブーツバンドは、例えば、自動車の動力伝達部分を覆うブーツを締め付けて内部のグリース等がブーツの外側に流出したり、水や異物がブーツの内部に侵入することを防止するために用いられる。また、被締付部材に巻き付けられて被締付部材を締め付けるところから、締め付け工具による締め付けが可能なように一対の工具爪がブーツバンドに設けられる。
【０００３】
図１１及び図１２は、このような第１の従来のブーツバンド１を示し（特許文献１参照）、図１３及び図１４は第２の従来のブーツバンド２を示している（特許文献２参照）。ブーツバンド１，２は、金属薄板からなるバンド本体３からなり、被締付部材が内部を貫通するようにリング状に巻回して締め付けを行う。このため、バンド本体３の巻回に際しては、上下で重なり合う重なり部分を有するように行われるところから、外側重なり部４及び内側重なり部５が形成される。
【０００４】
第１の従来のブーツバンド１においては、第１の工具爪６が外側重なり部４に形成され、対となる第２の工具爪７が内側重なり部５に形成されている。外側重なり部４における第１の工具爪６よりも先端側（自由端側）には、係合孔８及び９が形成されている。係合孔８は係合孔９よりも幾分長めとなっており、バンド本体３の仮止めを行う仮止め孔としても使用される。ブーツバンド１における内側重なり部５には、第２の工具爪７を起点として仮止めフック１０、係合爪１１，１２がバンド本体３の長さ方向に沿って順に配置されている。
【０００５】
ブーツバンド１においては、図１１に示すようにリング状に巻回した後、第２の工具爪７及び仮止めフック１０を外側重なり部４の係合孔８に差し込み、一対の工具爪６，７に締め付け工具（図示省略）を引っ掛けて工具爪６、７の間の距離が短くなるように引き寄せてリング状のバンド本体を縮径させる。図１２における矢印Ｆは、この締め付け方向を示す。この引き寄せにより、係合爪１１が係合孔８に入り、係合爪１２が係合孔９に入り込んで係合し、縮径状態を保持した締め付け状態となる。
【０００６】
このとき、外側重なり部４の先端部分（係合孔９部分）が内側重なり部５から離れているため、外側重なり部４の先端部分を外周側からリングの中心方向へ押し、この押圧を維持した状態で係合孔９に係合させて本締め付けを行う。
【０００７】
図１３及び図１４に示すように、第２の従来のブーツバンド２においては、第１の工具爪２１が外側重なり部４の先端側に形成されると共に、第１の工具爪２１と対となる第２の工具爪２２が内側重なり部５に形成されている。また、外側重なり部４には、第１の工具爪２１側からバンド本体３の長さ方向に沿って係合孔２３，２４，２５が順に形成されており、これらの係合孔２３，２４，２５に対応した係合孔２６，２７，２８が内側重なり部５に形成されている。
【０００８】
第２の工具爪２２は径方向外側に向かって立ち上がるようにプレス成形されており、これにより、第２の工具爪２２には、第１の工具爪２１に向かって開放された開口部２２ａが形成されている。一方、外側重なり部４における第１の工具爪２１よりも先端（自由端）は、平坦状となって延びる端末部２９となっており、この端末部２９が開口部２２ａから第２の工具爪２２に入り込むようになっている。
【０００９】
第２の従来のブーツバンド２に対する締め付けは、図１４に示すように、バンド本体３をリング状として被締付部材に外挿し、この状態で、締付工具１５の一対の爪部１５ａ、１５ｂを工具爪２１，２２に引き掛けて係止し、矢印Ｆで示す方向への引き寄せを行って縮径させる。この引き寄せの際には、矢印Ｆ方向に沿って端末部２９が開口部２２ａに入り込みながら係合爪２６，２７，２８が対応した係合孔２３，２４，２５に係合して締め付け状態となる。
【００１０】
【特許文献１】
米国特許Ｒｅ．３３７４４号明細書
【特許文献２】
特許第３００１２６６号公報
【００１１】
【発明が解決しようとする課題】
図１１及び図１２に示す第１の従来のブーツバンド１では、バンド本体３を締付工具によって縮径方向に荷重を負荷し、この負荷状態を保持したままで外側重なり部４を中心方向に向かって押し、押し状態を保持して締め付ける必要がある。このため、締め付けに際しては、円周方向への操作と中心方向への操作との２アクションを行う必要があり、締め付け作業が面倒となっている。また、２アクションが必要なため、締め付けの作業時間が長くなり、作業性が低下する問題を有している。
【００１２】
これに対し、図１３及び図１４に示す第２の従来のブーツバンド２では、端末部２９が第２の工具爪２２に入り込むため、外側重なり部４を中心方向へ押える操作が不要となるため、１アクションで締め付けを行うことができ、第１の従来のブーツバンド１に比べて締め付けの作業性が向上する。
【００１３】
しかしながら、図１３及び図１４に示すブーツバンド２においては、締め付け時に内側重なり部５が座屈することがある。
【００１４】
図１５は、座屈１９が発生するメカニズムを説明するものであり、一対の工具爪２１，２２に対して締め付け荷重を作用させることにより、外側重なり部４が荷重の方向にスライドする。このスライドによって、外側重なり部４が下側重なり部５の係合爪２６を乗り越えるが、この乗り越え時に係合爪２６の頂部に外側重なり部４が引っ掛かってロック状態となる。このロックにより、外側重なり部４がスライドして縮径するために消費されるべき荷重が外側重なり部４を介して下側重なり部５の係合爪２６に負荷される。
【００１５】
これにより、一対の工具爪２１，２２に荷重を作用させても、下側重なり部５における第２の工具爪２２と係合爪２６との間で荷重を受けていると同じ状態となる。そして、バンド本体３の締め付け荷重がバンド本体の耐座屈荷重を上回ることにより、下側重なり部５における第２の工具爪２２と係合爪２６との間に座屈１９が発生する。
【００１６】
図１６は、かかる座屈１９を防止するための対策であり、下側重なり部５の係合爪２６と外側重なり部４の第１の工具爪２１との間の距離Ｌ１を長く設定している。このようにすることにより、外側重なり部４の先端における端末部２９が内側重なり部５を外側から押し付けながら締め付けることができるため、内側重なり部５への座屈の発生を阻止するとともに、端末部２９の第２の工具爪２２への入り込みを容易にしている。
【００１７】
しかしながら、図１６のような対策を講じた場合には、下側重なり部５の係合爪２６と外側重なり部４の第１の工具爪２１との間の距離Ｌ１が長くなるため、外側重なり部４と内側重なり部５との重なり長さが大きくなり、結果としてバンド本体３の全体の長さが大きくなっている。これにより、ブーツバンドが重たくなるのに加えて、コストアップになるばかりでなく、バンド径を小さくすることに限界がある問題を有している。
【００１８】
本発明は、以上の従来における問題点を考慮してなされたものであり、図１３及び図１４と同様にバンド本体の締め付けを１アクションで行うことができる構造であっても、座屈が発生することがなく、しかも、バンド長を短くすることができ、取り扱い性が向上したブーツバンドを提供することを目的とする。
【００１９】
【課題を解決するための手段】
上記目的を達成するため、請求項１の発明のブーツバンドは、外側重なり部及び内側重なり部が相互に重なり合ったリング状となって被締付部材に巻回されるバンド本体と、外側重なり部に形成された係合孔と、内側重なり部に形成され、前記係合孔に係合することによりバンド本体の締付状態を保持する係合爪と、外側重なり部の先端側に形成された第１の工具爪と、第１の工具爪よりも先端における外側重なり部に形成された平坦状の端末部と、端末部が挿入可能な開口部及び開口部に挿入された端末部を外側から押さえる押え部を有して内側重なり部に形成され、第１の工具爪と共にバンド本体を締め付けるための第２の工具爪と、外側重なり部における第１の工具爪と係合孔との間に形成されたスリットとを備えていることを特徴とする。
【００２０】
請求項１の発明では、リング状となっているバンド本体に対し、第１の工具爪及び第２の工具爪により締め付けを行うことにより、第１の工具爪の先端側の端末部が第２の工具爪内に挿入されて押え付けられる。このため、外側重なり部を内側重なり部の方向に押え付ける必要がなく、１アクションでの締め付けを行うことができ、作業性が向上する。
【００２１】
請求項１の発明においては、第１の工具爪と係合孔との間にスリットが形成されることにより、外側重なり部におけるこれらの形成部分の剛性が低下した状態となっている。従って、一対の工具爪への締め付け力によって、外側重なり部の先端部分を内側重なり部に押し付けることができる。すなわち、座屈部位を外側重なり部の先端部分で押し付けることができ、合わせて外側重なり部が係合爪の頂部を中心方向に押し付ける荷重が低減される。これにより、内側重なり部側に発生する座屈を防止することができる。
【００２２】
以上の押し付けを行うためのたわみ量は、上述した部分における断面二次モーメントに反比例するが、この部分に形成したスリットによって断面二次モーメントが小さくなっていることから、たわみ量を大きくすることができる。このため、外側重なり部の第１の工具爪と内側重なり部の係合爪との間を長くしてたわみ量を確保する必要がなく、外側重なり部の第１の工具爪と内側重なり部の係合爪との間を短くすることができ、結果としてバンド本体全体の長さを短縮することが可能となる。
【００２３】
請求項２の発明のブーツバンドは、外側重なり部及び内側重なり部が相互に重なり合ったリング状となって被締付部材に巻回されるバンド本体と、外側重なり部に形成された係合孔と、内側重なり部に形成され、前記係合孔に係合することによりバンド本体の締付状態を保持する係合爪と、外側重なり部の先端側に形成された第１の工具爪と、第１の工具爪よりも先端における外側重なり部に形成された平坦状の端末部と、端末部が挿入可能な開口部及び開口部に挿入された端末部を外側から押さえる押え部を有して内側重なり部に形成され、第１の工具爪と共にバンド本体を締め付けるための第２の工具爪と、外側重なり部における第１の工具爪と係合孔との間に形成されたスリットと、内側重なり部に形成され、前記スリットに入り込んで係合することによりバンド本体をリング状の仮止め状態とする仮止め爪とを備えていることを特徴とする。
【００２４】
請求項２の発明においても、請求項１の発明と同様に、第２の工具爪に係合する端末部を外側重なり部に形成しているため、１アクションでの締め付けを行うことができる。また、請求項１の発明と同様に、第１の工具爪と係合孔との間にスリットが形成されていることにより、外側重なり部の先端部分を内側重なり部に押し付けることができ、内側重なり部側の座屈発生を防止することができると共に、たわみ量を大きくすることができるため、バンド本体全体の長さを短縮することができる。
【００２５】
これに加えて、請求項２の発明では、スリットに入り込んで係合する仮止め爪を備えることによって、バンド本体のリング状態を安定させることができ、しかも締め付け時における幅方向のガイドを行うため、バンド本体の締め付けを容易に行うことができる。
【００２６】
請求項３の発明のブーツバンドは、外側重なり部及び内側重なり部が相互に重なり合ったリング状となって被締付部材に巻回されるバンド本体と、外側重なり部に形成された係合孔と、内側重なり部に形成され、前記係合孔に係合することによりバンド本体の締付状態を保持する係合爪と、外側重なり部の先端側に形成された第１の工具爪と、第１の工具爪よりも先端における外側重なり部に形成された平坦状の端末部と、端末部が挿入可能な開口部及び開口部に挿入された端末部を外側から押さえる押え部を有して内側重なり部に形成され、第１の工具爪と共にバンド本体を締め付けるための第２の工具爪と、第２の工具爪と係合爪との間に設けられた補強部とを備えていることを特徴とする。
【００２７】
請求項３の発明においても、第２の工具爪に係合する端末部を外側重なり部に形成しているため、１アクションでの締め付けを行うことができる。
【００２８】
また、請求項３の発明では、第２の工具爪と係合爪との間に補強部が設けられることにより、この部分の剛性が大きく、断面二次モーメントが大きくなっている。座屈が生じる座屈荷重は断面二次モーメントに比例することから、外側重なり部のたわみによって外側重なり部が係合爪を押し付ける荷重が発生しても、座屈に対する抵抗力が大きくなっており、座屈の発生を防止することができる。このような請求項３の発明では、請求項１及び２の発明のように、座屈発生の防止のための外側重なり部のたわみ量を考慮する必要がなく、その分、バンド全体の長さを短縮することができる。
【００２９】
請求項４の発明は、請求項３記載のブーツバンドであって、前記補強部は、第２の工具爪と係合爪との間に円周方向に沿って形成されたリブであることを特徴とする。
【００３０】
請求項４の発明のように、補強部としてリブを形成する場合には、補強部を簡単に形成することができる。
【００３１】
請求項５の発明は、請求項１〜３のいずれかに記載のブーツバンドであって、前記係合孔における締め付け方向後側の端面に、係合爪の背面に相応した形状を有して径方向外側に膨らむ係合穴側膨らみ部が形成されていることを特徴とする。
【００３２】
請求項６の発明は、請求項１または２記載のブーツバンドであって、前記スリットにおける締め付け方向後側の端面に、係合爪の背面に相応した形状を有して径方向外側に膨らむスリット側膨らみ部が形成されていることを特徴とする。
【００３３】
請求項５及び６の発明のように、係合孔側膨らみ部及びスリット側膨らみ部を形成することにより、締め付けの際の作動が円滑に行われて不必要な荷重が作用することがなくなる。このため、座屈の発生をさらに確実に防止することができる。
【００３４】
請求項７の発明は、請求項１〜３のいずれかに記載のブーツバンドであって、前記外側重なり部の先端部分がバンド本体のリング径よりも大きな曲率を有して径方向内側に湾曲していることを特徴とする。
請求項７の発明では、大きな曲率で湾曲している外側重なり部の先端部分が、バンド本体の締め付けの際に、内側重なり部を確実に押さえ付ける。このため、内側重なり部に座屈が発生することがなくなる。
【００３５】
【発明の実施の形態】
以下、本発明を図示する実施の形態により具体的に説明する。なお、各実施の形態において、同一の部材には同一の符号を付して対応させてある。
【００３６】
（実施の形態１）
図１及び図２は、本発明の実施の形態１におけるブーツバンド３０であり、帯状のバンド本体３１によって形成されている。
【００３７】
バンド本体３１は、金属薄板がプレス打ち抜きされることにより帯状に形成されており、帯状からリング状に巻回した状態で被締付部材（図示省略）の締め付けに用いられる。リング状に巻回されたバンド本体３１は、相互に重なり合う外側重なり部３２及び内側重なり部３３が形成され、後述するように、これらの重なり部３２，３３を縮径方向に引き寄せることにより、被締付部材を締め付けるようになっている。
【００３８】
バンド本体３１の外側重なり部３２の先端側（自由端側）には、第１の工具爪４１が径方向外側に立ち上がるように形成されている。また、第１の工具爪４１よりもさらに先端（自由端）には、端末部３９が長さ方向に延びている。すなわち、端末部３９は後述する第２の工具爪３８に臨むように形成されるものである。この端末部３９は平坦状に形成されるものである。
【００３９】
これに加えて、外側重なり部３２には、係合孔３４，３５が長さ方向に沿って順に形成されている。これらの係合孔３４，３５は後述する係合爪３６，３７が係合することにより、バンド本体３１の締め付け状態を保持するものである。
【００４０】
バンド本体３１の内側重なり部３３には、係合爪３６，３７が長さ方向に沿って形成されており、これらの係合爪３６，３７の隣接位置には、第１の工具爪４１と対をなす第２の工具爪３８が形成されている。係合爪３６，３７は、バンド本体３１から斜めの状態で立ち上がるように形成されるものであり、その立ち上がり端が第２の工具爪３８の方向を向くように湾曲している。これらの係合爪３６，３７は外側重なり部３２における係合孔３４，３５に入り込んで係合する。
【００４１】
第２の工具爪３８は、内側重なり部３３に立ち上がり状に形成されるものである。第２の工具爪３８は、開口部３８ａ及び押え部３８ｂを有している。開口部３８ａは、第１の工具爪３３側が開口しており、これにより上述した端末部３９が挿入可能となっている。押え部３８ｂは、開口部３８ａから円周方向に沿って連設しており、開口部３８ａに挿入された端末部３９を外側から押え付けるように作用する。
【００４２】
以上に加えて、この実施の形態のブーツバンド３０ではスリット４２が設けられるものである。スリット４２は外側重なり部３２における第１の工具爪４１と、これに隣接した係合孔３４との間に形成される。このスリット４２は所定幅を有してバンド本体３１の長さ方向に沿って延びている。スリット４２の幅としては、バンド本体３１のバンド幅の略１／３程度となっており、外側重なり部３２の略中央部分に位置している。このようなスリット４２を外側重なり部３２に形成することにより、外側重なり部３２における第１の工具爪４１及び係合孔３４の間の剛性を小さくすることができ、この部分のたわみを確保することができる。
【００４３】
この実施の形態のブーツバンド３０の締め付けは、被締付部材の外周側で外側重なり部３２及び内側重なり部３３が相互に重なるようにリング状に巻回した状態とし、この状態で締付工具（図１４における締付工具１５参照）を第１の工具爪４１及び第２の工具爪３８に引っ掛けて外側重なり部３２及び内側重なり部３３を縮径方向に引き寄せて引き締める。この引き締めの際には、外側重なり部３２が内側重なり部３３の係合爪３６を乗り越えるが、このとき、外側重なり部３２と内側重なり部３３との間に係合爪３６の高さ分の隙間が生じ、外側重なり部３２が外周方向に膨らんだ状態となる。
【００４４】
この実施の形態において、外側重なり部３２における第１の工具爪４１と係合孔３４との間にスリット４２が形成されており、外側重なり部３２におけるこの部分の剛性が低下している。これにより、工具爪４１，３８を締め付ける際の締め付け力によって、外側重なり部３２の先端部分が内側重なり部３３の方向にたわむため、外側重なり部３２の先端部分が内側重なり部３３に押し付けられる。この押し付けによって、内側重なり部に発生する座屈を防止することができる。
【００４５】
また、内側重なり部３３への押し付けを行うためのたわみ量は、外側重なり部３２における第１の工具爪４１と係合孔３４との間における断面二次モーメントに反比例するが、この部分にはスリット４２が形成されていることによって断面二次モーメントが小さくなっている。従って、たわみ量を大きくすることができる。このため、外側重なり部３２の第１の工具爪４１と内側重なり部３３の係合爪３６との間を長くしてたわみ量を確保する必要がなく、外側重なり部３２の第１の工具爪４１と内側重なり部３３の係合爪３６との間を短くすることができ、結果としてバンド本体３１全体の長さを短縮することができる。
【００４６】
このような実施の形態では、バンド本体３１を短くすることができるため、ブーツバンド３０を軽量とすることができると共に、取り扱いが容易となる。また、小さなバンド径であっても、座屈を生じることがなくなる。なお、この実施の形態では、係合孔３４に対し、第１の工具爪４１が先端側に位置しており、第１の工具爪４１を移動させることにより、１アクションでの締め付けを行うことができ、作業性が向上するものである。
【００４７】
（実施の形態２）
図３及び図４は本発明の実施の形態２を示す。この実施の形態のブーツバンド４０は、実施の形態１におけるブーツバンド３０に加えて仮止め爪４５を設けるものである。
【００４８】
仮止め爪４５は、内側重なり部３３における第２の工具爪３８と係合爪３６との間に形成されるものであり、この実施の形態では、これらの間における係合爪３６との近接位置に形成されている。仮止め爪４５は、内側重なり部３３における上述した部位から径方向外側に立ち上がるように形成され、かつ外側重なり部３２のスリット４２に挿入可能な幅を有している。かかる仮止め爪４５は、バンド本体３１をリング状に巻回したときに、外側重なり部３２のスリット４２に入り込んで係合する。この係合によって、バンド本体３１を仮止めのリング状態とすることができる。
【００４９】
このような実施の形態では、仮止め爪４５がスリット４２に入り込んで係合することにより、バンド本体３１がリング状態として仮止めされるため、安定したリング状態で取り扱うことができ、取り扱い性が向上する。また、仮止め爪４５がバンド本体３１の締め付け時における幅方向のガイドを行うため、外側重なり部３２及び内側重なり部３３が幅方向にずれることがなく、バンド本体３１の締め付けを円滑に行うことができる。
【００５０】
また、この実施の形態においては、外側重なり部３２における第１の工具爪４１と係合孔３４との間に実施の形態１と同様のスリット４２が設けられている。これにより、外側重なり部３２の先端部分が内側重なり部３３の方向にたわんで内側重なり部３３に押し付けられるため、内側重なり部３３への座屈発生を防止することができ、しかも断面二次モーメントが小さくなっていることにより、大きなたわみ量を確保できるため、外側重なり部３２の第１の工具爪４１と内側重なり部３３の係合爪３６との間を短くすることができ、バンド本体３１全体の長さを短縮することができる。さらに、バンド本体３１の締め付けの際には、実施の形態１と同様に、外側重なり部３２を内側重なり部３３の方向に押え付ける必要がなく、１アクションでの締め付けを行うことができるため、作業性も向上する。
【００５１】
（実施の形態３）
図５及び図６は、本発明の実施の形態３を示す。この実施の形態のブーツバンド５０では、補強部としてのリブ４７を形成するものである。
【００５２】
リブ４７は、内側重なり部３３における第２の工具爪３８と係合爪３６との間に形成されるものであり、この実施の形態では、径方向の外側に立ち上がる平行な２本の細い突条によってリブ４７が形成されている。平行なリブ４７は、第２の工具爪３８と係合爪３６との間の略全長となるように円周方向に沿って形成されている。
【００５３】
このように補強部としてのリブ４７を形成することにより、内側重なり部３３における第２の工具爪３８と係合爪３６との間の剛性が大きく、断面二次モーメントが大きくなる。座屈が生じる座屈荷重は断面二次モーメントに比例することから、外側重なり部３２のたわみによって外側重なり部３２が係合爪３６を押し付ける荷重が発生しても、座屈に対する抵抗力が大きくなっているため、座屈の発生を防止することができる。このような実施の形態では、座屈発生の防止のための外側重なり部３２のたわみ量を考慮する必要がなく、その分、バンド本体３１の全体長を短縮することが可能となる。
さらに、この実施の形態では、実施の形態１の構造を組み合わせることにより、バンド径が小さい場合、すなわち曲率が小さい場合であっても座屈することを防止することができる。
【００５４】
図７及び図８は、この実施の形態の変形々態をそれぞれ示す。図７の形態においては、リブ４７が一本の細い突条となっており、内側重なり部３３の幅方向の略中央部分に位置した状態で、第２の工具爪３８と係合爪３６との間で円周方向に延びるように形成されている。図８の形態においては、リブ４７が幅広の突条となっており、第２の工具爪３８と係合爪３６との間で円周方向に延びるように形成されている。これらのリブ４７においても、第２の工具爪３８と係合爪３６との間の剛性を大きくすることができるため、座屈を防止することができると共に、バンド本体３１を短くすることができる。
【００５５】
なお、補強部としては、図示するリブ４７以外の形状とすることも可能である。例えば、円弧状のボス部を第２の工具爪３８と係合爪３６との間に適宜間隔で形成しても良い。
【００５６】
（実施の形態４）
図９は、本発明の実施の形態４におけるブーツバンド６０を示す。この実施の形態のブーツバンド６０では、スリット側膨らみ部５１及び係合孔側膨らみ部５３が形成されるものである。
【００５７】
スリット側膨らみ部５１は、外側重なり部３２のスリット４２における締め付け方向の後側の端面を径方向外側に膨らませることにより形成されている。一方、係合孔側膨らみ部５３は、外側重なり部３２の係合孔３４における締め付け方向の後側の端面を径方向外側に膨らませることにより形成されている。これらの膨らみ部５１及び５３は、いずれも係合爪３６，３７の背面に相応した湾曲形状となっており、締め付け時に係合爪３６，３７が円滑にスライドすることが可能となっている。
【００５８】
このようなスリット側膨らみ部５１及び係合孔側膨らみ部５３を形成することにより、外側重なり部３２が内側重なり部３３の係合爪３６，３７を円滑に乗り越えることができるため、過剰な荷重が負荷することがなくなって内側重なり部３３が座屈することがなくなる。また、外側重なり部３２が係合爪３６，３７を乗り越える前から、先端の端末部３９を内側重なり部３３の方向に押し付けることが可能となり、その分、バンド本体３１の長さを短くすることができる。さらに、このように外側重なり部３２がたわむことにより、端末部３９を内側重なり部３３に押し付けることができる。このため、内側重なり部３３の座屈をさらに効果的に防止することができる。
【００５９】
なお、この実施の形態では、スリット側膨らみ部５１及び係合孔側膨らみ部５３を形成しているが、スリット４２が外側重なり部３２に形成されない場合には、スリット側膨らみ部５１を形成する必要がないものである。また、係合孔側膨らみ部５３は一の係合孔３４に対して設けているが、複数の係合孔を有している場合には、各係合孔に対応して設けても良く、従って、係合孔３５側に形成することも可能である。
【００６０】
（実施の形態５）
図１０は、本発明の実施の形態５のブーツバンド７０を示す。
【００６１】
この実施の形態のブーツバンド７０では、外側重なり部３２の先端部分を大きな曲率で湾曲させるものであり、先端部分の領域を符号５９で示している。この実施の形態では、第１の工具爪４１の後端からスリット４２の終端までの領域となっている。このような外側重なり部３２の先端部分５９においては、巻回されたバンド本体３１のリング径よりも大きな曲率で、かつ径方向内側に向かって湾曲されている。
【００６２】
このように外側重なり部３２における先端部分５９を大きな曲率で湾曲させることにより、内側重なり部３３の座屈発生を防止することができる。すなわち、外側重なり部３２の先端部分５９が大きな曲率で湾曲していることにより、外側重なり部３２が係合爪３６を乗り越える際に、外側重なり部３２先端の端末部３９が内側重なり部３３に優先的に接触して同部３３を押さえ付けるように作用する。これにより、内側重なり部３３の座屈発生を防止するものである。
【００６３】
なお、このような先端部分５９への加工は、実施の形態１〜４のいずれのブーツバンドに対しても適用することができるものである。
【００６４】
【発明の効果】
本発明によれば、バンド本体の締め付けを１アクションで行うことができる構造であっても、バンド本体の締め付けの際に、内側重なり部に座屈が発生することなく、確実に締め付けを行うことができると共に、バンド長を短くすることができ、取り扱い性を向上させることができる。
【図面の簡単な説明】
【図１】本発明の実施の形態１の平面図である。
【図２】実施の形態１の締め付け作動を示す断面図である。
【図３】実施の形態２の平面図である。
【図４】実施の形態２の締め付け作動を示す断面図である。
【図５】実施の形態３の平面図である。
【図６】実施の形態３の断面図である。
【図７】（ａ）、（ｂ）は実施の形態４の変形々態の平面図及び断面図である。
【図８】（ａ）、（ｂ）は実施の形態４のさらに別の変形々態の平面図及び断面図である。
【図９】実施の形態６の締め付け作動を示す断面図である。
【図１０】実施の形態５の締め付け作動を示す断面図である。
【図１１】第１の従来のブーツバンドの巻回状態の断面図である。
【図１２】第１の従来のブーツバンドの締め付け作動を示す側面図である。
【図１３】第２の従来のブーツバンドの巻回状態の断面図である。
【図１４】第２の従来のブーツバンドの締め付け作動を示す断面図である。
【図１５】座屈を説明する側面図である。
【図１６】第２の従来のブーツバンドにおける座屈を防止するための断面図である。
【符号の説明】
３０，４０，５０，６０，７０  ブーツバンド
３１  バンド本体
３２  外側重なり部
３３  内側重なり部
３４，３５  係合孔
３６，３７  係合爪
３８  第２の工具爪
３８ａ  開口部
３８ｂ  押え部
４１  第１の工具爪
４２  スリット
４５  仮止め爪
４７  リブ
５１  スリット側膨らみ部
５３  係合孔側膨らみ部
５９  先端部分
【図１】
2005003086.tif 000003
【図２】
2005003086.tif 000004
【図３】
2005003086.tif 000005
【図４】
2005003086.tif 000006
【図５】
2005003086.tif 000007
【図６】
2005003086.tif 000008
【図７】
2005003086.tif 000009
【図８】
2005003086.tif 000010
【図９】
2005003086.tif 000011
【図１０】
2005003086.tif 000012
【図１１】
2005003086.tif 000013
【図１２】
2005003086.tif 000014
【図１３】
2005003086.tif 000015
【図１４】
2005003086.tif 000016
【図１５】
2005003086.tif 000017
【図１６】
2005003086.tif 000018